(57)【特許請求の範囲】
【請求項１】
選択行為に基づく表示電力モードに対応した指示信号を出力する表示電力モード選択部と、
緊急警報に関する情報を受信して前記緊急警報に関する情報に基づき緊急警報状態であると判断する緊急警報判断部と、
前記表示電力モード選択部および前記緊急警報判断部の出力信号を受けて、緊急警報状態でない場合には前記表示電力モード選択部の出力に基づいて表示電力モードを決定し、緊急警報状態の場合には前記表示電力モード選択部の出力に無関係に超低消費電力モードに切り換えるように後述する表示制御部に指示を与える表示電力モード判定部と、
映像を表示する表示部と、
前記表示電力モード判定部の指示信号に基づく表示電力モードで表示するように前記表示部を制御して映像情報を実際の映像として表示するための制御を行い、前記超低消費電力モードの場合に映像情報を黒色以外の何れか一の単色と黒色による表示に変換し、かつ、前記単色と前記黒色のうち電力消費の少ない色が表示範囲の面積の半分以上を占めるようにする表示制御部と、
を有する映像表示装置。
【請求項２】
前記緊急警報判断部は、
取得した映像音声情報に付加された付加情報を抽出する付加情報抽出部と、
前記付加情報中の緊急警報に関する情報に基づき緊急警報状態であるかを判断する緊急警報分析部とを備えたことを特徴とする請求項１に記載の映像表示装置。
【請求項３】
前記緊急警報分析部は、前記付加情報に含まれる緊急情報記述子のフラグとエリアコードの情報を取得して緊急警報状態であるかを判断することを特徴とする請求項２に記載の映像表示装置。
【請求項４】
前記緊急警報判断部は、外部で報知された緊急警報信号を受信して緊急警報信号が入力されたことで緊急警報状態であると判断して前記表示電力モード判定部に伝える緊急警報受信部を備えたことを特徴とする請求項１に記載の映像表示装置。
【請求項５】
前記緊急警報判断部は、外部に設置された非常用電源装置が動作を開始したことを知らせる信号を受信した場合には緊急警報状態であると判断する非常用電源動作検知部を備えたことを特徴とする請求項１に記載の映像表示装置。
【請求項６】
前記緊急警報判断部は、映像表示装置に供給される電源供給を監視して所定時間を超えて電源供給が止まった場合に停電検知信号を出力して電源供給回復後も前記出力を維持する停電検知部を備えたことを特徴とする請求項１に記載の映像表示装置。
【請求項７】
前記表示制御部は、前記超低消費電力モードの場合に前記単色は前記表示部の発光セルの出力色の中の何れか一色のみであることを特徴とする請求項１から請求項６までのいずれか一つに記載の映像表示装置。
【請求項８】
前記表示制御部は、前記超低消費電力モードの場合に所定の輝度より低い部分は発光させず、所定の輝度より高い部分は前記所定の輝度として表示するように映像情報を改変することを特徴とする請求項１から請求項６までのいずれか一つに記載の映像表示装置。
【請求項９】
前記表示制御部は、前記超低消費電力モードの場合に映像情報を間引きあるいは補間により表示範囲の面積を画面の面積の１／２以下に縮小するように改変し、かつ、表示範囲以外の部分については発光しないように制御することを特徴とする請求項１から請求項６までのいずれか一つに記載の映像表示装置。
【請求項１０】
前記緊急警報に関する情報から字幕情報を抽出し画面表示のための情報に構成する字幕抽出部をさらに備え、
前記表示制御部は、前記超低消費電力モードの場合に動画情報を非表示にさせるとともに画面における前記字幕情報以外の部分である背面を黒色とし、前記字幕情報のみを白色あるいは黒色以外の単色で表示するように前記表示部の映像を改変することを特徴とする請求項１から請求項６までのいずれか一つに記載の映像表示装置。
【請求項１１】
前記表示部は、液晶パネルとバックライトを備える液晶表示装置であり、
前記表示制御部は、前記超低消費電力モードの場合に、前記バックライトの点灯する本数を通常視聴時の１／２以下とする制御を行うことを特徴とする請求項１から請求項６までのいずれか一つに記載の映像表示装置。
【請求項１２】
前記表示部は、液晶パネルとバックライトと前記バックライトの光を伝導する導光板と前記導光板の側面に設けられた発光部を備える液晶表示装置であり、
前記表示制御部は、前記超低消費電力モードの場合に、前記バックライトは消灯し前記発光部を点灯する制御を行うことを特徴とする請求項１から請求項６のいずれか一つに記載の映像表示装置。
【請求項１３】
前記表示部は、液晶パネルと、バックライトと、少なくとも前記バックライトの光を伝導する導光板及び前記導光板によって伝達された光を拡散する拡散板の少なくとも一方を備え、前記導光板と前記拡散板の少なくとも一方にバックライトの光によって励起され、かつ励起光が消灯した後も発光する蓄光材を分散させた液晶表示装置であり、
前記表示制御部は、前記超低消費電力モードの場合に、前記バックライトを消灯して前記液晶パネル駆動は通常どおりに行うように制御することを特徴とする請求項１から請求項６までのいずれか一つに記載の映像表示装置。
【発明の詳細な説明】
【技術分野】
【０００１】
本発明は、画面表示の電力の削減を可能とする映像表示装置に関する。
【背景技術】
【０００２】
一般にテレビジョン受像機に代表される映像表示装置は、画面表示という手段で大量の情報を瞬時に提供できる。しかし、画面表示に大きな電力を要するため、音声のみを出力するラジオ受信機等と比較して、その消費電力は大きい。そこで従来から、視聴時の消費電力を低減する機能を備えた映像表示装置が提案されてきた。
【０００３】
消費電力の削減を目的とした機能を備えた映像表示装置の従来技術の一例が、特開２０００−１００６８号公報に開示されている。外光量を検出する手段で検出した周囲の明るさに基づいて映像の表示輝度を自動調整することにより、消費電力を削減し且つ最適な表示品位を提供する装置が提案されている。
【０００４】
さらに、特開２００３−３４５２９７号公報には、画面中央から画面周辺に行くに従って輝度を減少させ、さらに画面周辺部で輝度値が一定の領域を有するような輝度低減特性を入力映像信号に乗算することにより、本来の映像に対して違和感なく輝度を減少させ、消費電力を低減する表示装置が開示されている。
【０００５】
さらに、特開昭５６−２４８８０号公報では、陰極線管の表示装置において、偏向系回路の電圧を変えることにより、画面の大きさを変えて、受像機の消費電力を少なくする制御装置が提案されている。
【０００６】
さらに、実開昭６２−３０４８２号公報では、赤青緑の３つの色信号のうち１色または２色の色信号を表示させないようにすることにより、消費電力を低減する表示装置が提案されている。
【０００７】
また、緊急警報放送を受信するにあたり、デジタルテレビジョン放送の受信端末の待機時の消費電力を削減するとともに、待機時にも緊急警報放送を受信できるようにする従来技術に係るテレビジョン受像機が、特開平１１−１９６３４２号公報に開示されている。
【０００８】
本従来技術について図１６を用いて説明する。図１６は従来技術に係る映像表示装置の構成を示すブロック図である。図１６において、衛星放送などのデジタルテレビジョン放送の番組情報生成送出装置９０１に、衛星波などの放送経路以外の方法で直接、番組変更や緊急放送などがあることを通知する起動信号送出部９１３が設けられている。受信端末９０２に、その通知を受ける起動信号入力部９２４を設ける。起動信号により電力制御部９２５を介して入力部９２１を起動する。入力部９２１は、入力される情報を監視し、予約中の番組の変更情報や緊急放送を受信する。すでに番組情報蓄積部９２３に記録された番組情報に更新すべきものがあれば、それを更新する。必要な情報の取得と更新が終れば、入力部への電力供給を停止する。緊急放送を通知する情報があれば、表示部へ電力供給を開始して、表示装置に緊急放送内容を表示する。このようにして、端末の電力消費量を削減しながら、番組予約時刻の変更などに対応して端末プログラムの自動更新などを行なう。
【０００９】
テレビジョン受像機等の映像表示装置は、瞬時に多くの情報が画面表示によって提供されるので地震や台風等の災害発生時には情報収集の手段として威力を発揮する。しかしながら、災害発生時には電力等の供給が途絶える場合がある。この場合に、自己発電システムなどの非常用電源を備えておれば電気機器は使用可能であるが、平常時に比べてより節電することが要求される。あるいは、被災地においては電力供給が途絶えなくても、供給が不安定になっているため、当該地域においては節電することを強く要求される。
【００１０】
しかしながら、前述した従来技術は、基本的に画質は通常視聴状態より低下させることなく映像を表示することを目的とした消費電力削減を提供するものであった。つまり、あくまで通常視聴状態での視認性は番組を楽しむことが可能な水準を確保した状態での消費電力低減を目的とするため、緊急の災害時に要求される強制的かつ大幅の電力低減は望めない。そのため、地震などの緊急災害発生時において電力遮断された際、太陽電池など自己発電システムを有している家屋または施設においては、蓄積電力を早期に消耗してしまい、情報収集が可能な時間を十分に確保することも困難である。
【００１１】
また、従来技術に係る映像表示装置が緊急警報放送を受信可能とするものであり、情報収集の面においては有用ではあっても、かかる技術における省電力技術は待機状態の電力を削減するにとどまり、緊急災害発生時の情報収集における電力低減には用いることができなかった。
【発明の開示】
【００１２】
上記課題を解決するために、本発明の映像表示装置は、視聴者の選択行為に基づく表示電力モードの指示信号を出力する表示電力モード選択部と、緊急警報に関する情報を受信して当該情報に基づき緊急警報状態であると判断する手段を有する緊急警報判断部と、表示電力モード選択部および緊急警報判断部の出力信号を受けて緊急警報状態でない場合には表示電力モード選択部の出力に基づいて表示電力モードを決定し緊急警報状態の場合には表示電力モード選択部の出力に無関係に表示電力モードを映像情報の一部を欠落あるいは改変することで原映像情報のまま表示するのに対し、消費電力を低減するモードである超低消費電力モードに切り換えるように表示制御部に指示を与える表示電力モード判定部と、映像を表示する表示部と、表示電力判定部の指示信号に基づく表示電力モードで表示するように表示部を制御して映像情報を実際の映像として表示するための制御を行う表示制御部とを備え、前記超低消費電力モードが、前記表示制御部により、映像情報を単色に改変し、かつ、単色と黒色のうち電力消費の少ない色が画面の半分以上を占めるようにして消費電力を低減することを特徴とするものである。
【００１３】
上記のように構成された本発明の映像表示装置によれば、地震等の災害が発生し電力消費を低減すべき緊急警報状態となった場合には、情報を入手することができる最低限の状態まで画面表示を自動的に低下させて、映像表示の消費電力を最小限に抑えることを可能とする。本発明により、緊急災害時においてでも情報収集を長時間確保することが可能な映像表示装置を提供することができる。
【発明を実施するための最良の形態】
【００１４】
（実施の形態１）
本発明の映像表示装置の実施の形態１について、図面を用いて説明する。
【００１５】
図１は本発明の実施形態１に係る構成を示すブロック図である。本実施の形態においてはデジタル放送を受信する映像表示装置（デジタルテレビジョン受像機）を想定している。なお、本発明の映像表示装置としては、映像情報を取得する手段と映像情報を表示する手段を備えたものであれば該当し、例示すれば、デジタルやアナログの衛星放送、地上波放送を受信するテレビジョン受像機、あるいは有線放送を受信するＣＡＴＶ、あるいは、インターネット回線等のネットワークを通じて情報を入手し、画面に情報を表示することが可能なパーソナルコンピュータ等がある。
【００１６】
図１において、テレビアンテナ１０２はデジタル放送を受信する。チューナ・復調部１０３はテレビアンテナ１０２で受信した信号をトランスポートストリーム（以下、「ＴＳ」と記す。）に変換する。ＴＳデコーダ１０４はチューナ・復調部１０３から出力されたＴＳをデコードし映像や音声ストリームとして出力する。ＭＰＥＧデコーダ１０５はＴＳデコーダ１０４からの映像ストリームをＭＰＥＧデコードする。表示制御部１０６は表示部１０７を制御し、映像ストリームを実際の映像として表示するための制御を行う。
【００１７】
付加情報抽出部１０９はＴＳ内の付加情報や制御情報などの映像や音声のストリーム以外の情報を抽出する。緊急警報分析部１１０は抽出された付加情報の中から災害発生などによる緊急警報放送が発せられたかを判断する。本実施の形態１においては、付加情報抽出部１０９と緊急警報分析部１１０によって、緊急警報に関する情報を受信して当該情報に基づき緊急警報状態であると判断する緊急警報判断部１１５を構成する。表示電力モード選択部１１２は視聴者の選択行為に基づく表示電力モードの指示信号を出力する。表示電力モード判定部１１１は緊急警報分析部１１０や表示電力モード選択部１１２の出力信号に基づいて表示電力モードを決定し表示制御部１０６に指示を与える。
【００１８】
また、本実施の形態１に係る映像表示装置１０１においては、表示電力モードとして次の３つのモードを有するものである。第１は通常の画面表示で通常の電力を消費する通常電力モード、第２は通常電力モードより輝度を落とすことで、画面情報を欠落させたり改変したりせずに消費電力を低減する節電モード、第３は節電モードよりさらに電力消費を低減した超低消費電力モードである。特にこの超低消費電力モードとは、映像情報の一部を欠落あるいは改変することで、原映像情報のまま表示するのに対し消費電力を低減するモードである。なお、この超低消費電力モードには、単に映像の表示輝度を全体均一に落とすだけで消費電力を低減することは含まれない。
【００１９】
以上のように構成された本発明に係る映像表示装置１０１について、以下にその動作を説明する。
【００２０】
通常は、視聴者は表示電力モード選択部１１２で通常電力モードあるいは節電モードに設定して番組を視聴する。この場合は、表示電力モード選択部１１２の選択結果に基づく表示電力モード判定部１１１からの表示電力モードの指示信号を表示制御部１０６が受けて、通常電力モードが選択されているならば、デコードされた映像ストリームのデータを改変することなく、かつ通常の輝度で表示部１０７が映像表示するように制御される。節電モードが選択されている場合は、同様にデコードされた映像ストリームのデータは改変せず、ただし、通常輝度より低い輝度で表示部１０７が映像表示するように制御される。これらの場合は、視聴者の好みで輝度の高低はあるが、放送局から送られた番組の映像をそのままの状態で楽しむことができる。
【００２１】
次に、災害等が発生し放送局から緊急警報が発せられた場合を想定し、本発明の映像表示装置１０１の動作を説明する。
【００２２】
まず、ＭＰＥＧのＴＳに多重される情報について説明する。映像や音声のデータ、字幕情報、データ放送などの視聴者に提供する情報以外に、制御情報としてＰＳＩ（Program Specific Information）やユーザが番組選択のためのインターフェース情報としてＳＩ（Service Information）が多重されている。ＰＳＩに含まれる情報は各種のテーブルにまとめられており、この中にＴＳ内に含まれるプログラムを構成するコンポーネントの情報を記述するＰＭＴ（Program Map Table）があり、ここに任意に記述される情報として緊急情報記述子がある。緊急情報記述子は、地震発生やその警戒宣言、あるいは津波警報等の緊急警報放送時に、記述子内のフラグがＯＮに定義され、エリアコードや警報レベルなどの緊急警報に関する詳細情報が記述される。
【００２３】
例えば、地震が発生し緊急情報記述子のフラグをＯＮとしたデジタル放送波を映像表示装置１０１が受信した場合を想定する。図１において、テレビアンテナ１０２が受信したデジタル放送は、チューナ・復調部１０３でＴＳに変換される。ＴＳデコーダ１０４はチューナ・復調部１０３から出力されたＴＳをデコードし映像や音声ストリームとして出力する。
【００２４】
ここで、付加情報抽出部１０９はＴＳ内の付加情報や制御情報などの映像や音声のストリーム以外の情報を抽出し、抽出したＰＭＴ内の緊急情報記述子をチェックする。緊急情報記述子のフラグがＯＦＦであるならば、緊急情報はない旨の出力を行う。緊急情報記述子のフラグがＯＮの場合は、続けてエリアコードと警報レベルの情報を抽出し、現在緊急警報放送中である旨の信号と抽出したエリアコードと警報レベルの情報の出力を行う。
【００２５】
緊急警報分析部１１０は付加情報抽出部１０９より、緊急警報放送中であるかどうかの信号と、緊急警報放送中である場合にはそのエリアコードと警報レベルの情報を取得し、緊急警報状態であるかを判断する。ここで緊急警報状態とは、本願においては災害発生の可能性があり消費電力を制限すべき状態であるとする。
【００２６】
具体的には、緊急警報放送中でないならば緊急警報状態でないと判断する。緊急警報放送中ならば、まずエリアコードをチェックする。緊急警報分析部１１０には本映像表示装置１０１がある場所のエリアコードを記憶させておき、これと抽出したエリアコードと比較する。異なる場合は、緊急警報状態は他の地域であり、本映像表示装置１０１のある場所では緊急警報状態でないと判断する。両エリアコードが一致した場合は、警報レベルが所定のレベル以上であるかを判断し、所定のレベル以上であれば緊急警報状態であると判断し、所定のレベル以下の場合は緊急警報状態でないと判断する。
【００２７】
表示電力モード判定部１１１は緊急警報分析部１１０より緊急警報状態であるかどうかの情報を取得して表示電力モードを決定する。緊急警報状態でない場合は、当然通常の状態であるので、上記のように表示電力モード選択部１１２の出力に基づいて決定する。しかし、緊急警報状態の場合には、表示電力モード選択部１１２の出力に無関係に表示電力モードを超低消費電力モードに切り換える。
【００２８】
表示制御部１０６は表示電力モード判定部１１１からの超低消費電力モードとする指示信号を受けて、超低消費電力モードとしての所定の表示内容への映像ストリームのデータの改変、あるいは表示部１０７への所定の設定制御を行い、何らかの情報は表示されていながら備えている消費電力モードの内で最も低い消費電力の状態に移行する。
【００２９】
次に、本実施の形態１における超低消費電力モードの表示例を説明する。
【００３０】
例えば、表示部１０７がプラズマディスプレイ装置である場合には、映像表示において発光セルの面積およびその強度に対応して表示電力が変化する。当然、表示面積が小さいほど、あるいは発光セル数が少ないほど消費電力は少なくなり、また、発光強度が低いほど、すなわち全体の平均輝度が低いほど消費電力は少なくなる。
【００３１】
図２Ａ、図２Ｂは本発明の実施の形態１に係る超低消費電力モードの一表示例である。まず、表示すべき映像信号のデータを白黒表示に変換する。そして、白色と黒色（網線を施した部分）の表示面積割合を算出し、白色の占有割合が大きい場合は白色と黒色を反転することにより、白色の表示面積を減少して表示することができ、通常視聴状態より大幅に消費電力を削減することができる。また、この場合には表示映像は単色であるので、例えば発光セルを緑色だけとし単色で発光させれば発光セル数は１／３となり、さらに大幅に消費電力を削減することができる。
【００３２】
あるいは、図３Ａ、図３Ｂに示すように、所定の輝度以下の部分は全て最低輝度の黒色につぶしてしまうことで、所定の輝度以下の部分の電力消費がなくなる。さらに、所定の輝度以上の部分についても、設定した所定の輝度のグレー色（斜線を施した部分）とすることで、さらに大幅に消費電力を削減することができる。
【００３３】
あるいは、図４Ａ、図４Ｂに示すように、表示ドット数を１／２や１／３に間引いたり、補完データ作成することで表示ドット数を１／２や１／３に減らしたりし、図４Ａの映像の表示範囲１３１ａを、図４Ｂの映像の表示範囲１３１ｂのように小さくすることで発光面積を減少し、消費する電力を大幅に低減することが可能である。
【００３４】
以上のような映像情報の一部を欠落あるいは改変する処理は、もともとの映像情報を損なうものである。よって、通常の視聴において番組を楽しむためには向いていない。しかしながら、緊急警報状態で映像情報から種々の情報を得ることにおいては、充分その役に立つ。そして、原映像情報のまま表示するのに対し消費電力を大幅に低減するという効果を奏する。
【００３５】
なお、上記の超低消費電力モードの処理は、それぞれ単独で本発明の機能として設定してもよいが、２つ以上の処理を複合して超低消費電力モードとしてもよい。この場合はさらに大幅に消費電力を削減することができる。
【００３６】
あるいは、複数の超低消費電力モードを実現する機能を設けておいて、視聴者が選択するようにしてもよい。この場合は、図５に示すように、選択画面として映像情報の一部を欠落あるいは改変する処理をした結果、どのような画面になるか実際に通常放送を変更した画面を提示して、かつ、その場合に電力消費が通常状態に対してどの程度の割合になるかを示す。これにより、視聴者の好みも反映でき、かつ緊急警報状態での超低消費電力を実現できる。
【００３７】
また、超低消費電力モードの解除は、表示電力モード選択部１１２を介して視聴者が超低消費電力モード以外の表示電力モードを選択することで行う。つまり、視聴者が表示電力モード選択部１１２において、通常電力モードあるいは節電モードを選択した場合は、選択された表示電力モードが表示電力モード判定部１１１に伝えられ、当該選択モードに切替える旨の指示を表示制御部１０６に伝えることとなる。
【００３８】
なお、緊急警報分析部が引き続き緊急警報状態であるとの判断の出力を続けている場合は、表示電力モード判定部１１１は、視聴者の選択を受け付けずに超低消費電力モードで引き続き映像を表示するように判断するようにしてもよい。また、超低消費電力モードである場合には、表示電力モードの選択肢として超低消費電力モードを解除する旨の指示項目を追加してもよい。この場合には、解除後には以前に選択されていた表示電力モードに切り替わることとなる。
【００３９】
上記のように本発明の実施の形態１に係る映像表示装置によれば、地震等の災害が発生し電力消費を低減すべき緊急警報状態となった場合には、情報を入手することができる最低限の状態まで画面表示を自動的に低下させて、映像表示の消費電力を最小限に抑えることができる。
【００４０】
（実施の形態２）
次に、本発明の映像表示装置の実施の形態２について、図を用いて説明する。なお、前記の実施の形態１と同一の部位に関しては同一の符号を付すとともに、その説明も適宜省略するものとする。
【００４１】
図６は本発明の映像表示装置２０１の実施の形態２の構成を示すブロック図である。図６において、テレビアンテナ１０２、チューナ・復調部１０３、ＴＳデコーダ１０４、ＭＰＥＧデコーダ１０５、表示部１０７、付加情報抽出部１０９、緊急警報分析部１１０、表示電力モード選択部１１２、及び、表示電力モード判定部１１１については実施の形態１の図１に示すブロックと同様の機能を有するものであるので、それらの説明については省略する。
【００４２】
図６において、図１と異なるところは、字幕抽出部１０８を備える点と、表示制御部２０６の一部の機能が異なる点である。字幕抽出部１０８はＴＳデコーダ１０４の出力からＴＳに多重された情報の内、字幕情報やデータ放送内の文字情報を抽出して、画面表示のための情報に構成するものである。この画面表示のための文字情報は、表示制御部２０６に送られ、通常は図７Ａに示すように、表示部１０７にオンスクリーンによるテロップ１３２や文字情報として表示される。
【００４３】
一般に、例えば地震発生のような災害が発生した場合、その直後においては多くの情報がないため、第一報として地震が発生したことやその地域や規模がテロップ（字幕情報）として表示される。よって、災害発生後の情報収集としては字幕情報を得ることは非常に有用である。
【００４４】
次に、本実施の形態２に係る映像表示装置の動作を説明する。ＴＳ内の付加情報から緊急警報状態であるかを判断し、緊急警報状態であれば表示電力モード判定部１１１の指示で表示制御部２０６が超低消費電力モードで表示部１０７の表示画面を変更するまでの動作は、上記の図１を用いて説明した実施の形態１と同じであるので説明を省略する。
【００４５】
ここで緊急警報状態となった場合、字幕抽出部１０８より送られた文字情報をテロップとして表示するにあたり、表示制御部２０６は下記のようにデータを改変して表示する。
【００４６】
図７Ｂは、本実施の形態２の超低消費電力モードにおける表示の一例である。表示制御部２０６は、まず入力信号のテロップ１３２のみを識別し、動画情報を非表示にさせるとともに背面を黒色（網線を施した部分）とし、テロップ１３２のみを白色あるいは黒色以外の色で表示するように表示部１０７の映像を改変する。その結果、図７Ｂに示すように全く発光していない画面に緊急情報に係るテロップ（字幕情報）のみが表示されることとなる。
【００４７】
このようにすることにより、表示情報を大幅に減少して表示することができ、且つ緊急警報状態において取得したい情報は確実に表示しつつ通常視聴状態より大幅に消費電力を削減することができる。
【００４８】
なお、上記動作はＰＭＴ内の記述子で緊急警報放送であるのが当該字幕情報のみである場合と定義された場合にのみ行い、映像ストリームの放送内容全体が緊急警報放送であると判断された場合は、字幕をオンスクリーンで合成した画面を実施の形態１で述べたようなその他の超低消費電力モードで表示するようにしてもよい。このようにすることで、取得したい情報を確実に表示させながら、その情報の種類によって、大幅に消費電力を削減することができる。
【００４９】
また、緊急警報に関する字幕情報が映像に合成されて送信される場合があるが、この場合には、映像の中から字幕情報を抽出して、図７Ｂに示すように字幕以外の映像部分を全く発光しない黒色となるように映像情報を加工し表示するようにすればよい。
【００５０】
上記のように本発明の実施の形態２に係る映像表示装置によれば、地震等の災害が発生し電力消費を低減すべき緊急警報状態となった場合には、情報を入手することができる最低限の状態まで画面表示を自動的に低下させて、映像表示の消費電力を最小限に抑えることができる。
【００５１】
（実施の形態３）
上記の実施の形態１および実施の形態２においては、地震などの災害が発生したと場合の緊急警報状態を放送波に多重付加された緊急警報記述子に基づいて判断する例を述べたが、緊急警報を独立して報知する場合がある。報知手段としては、無線によって伝えるもの、あるいは該当地区の個々の家に有線で伝えるものがある。
【００５２】
本発明の実施の形態３は、このような場合に対して本発明の映像表示装置に災害発生を検知する手段として緊急警報受信部を設けるものである。なお、本実施の形態３において前述した形態と同様のものについては同一の符号を付し適宜説明は省略するものとする。
【００５３】
図８に本実施の形態３に係る映像表示装置の構成を示す。図８においては、図６に示す構成に対して緊急警報信号を受信し緊急警報状態である旨を表示電力モード判定部３１１に伝える緊急警報受信部１１３を備える点と、表示電力モード判定部３１１が緊急警報受信部１１３の出力も表示電力モードを決定する場合に考慮する点で異なっている。本実施の形態３においては、付加情報抽出部１０９と緊急警報分析部１１０、あるいは緊急警報受信部１１３の双方またはその一方によって、緊急警報に関する情報を受信して当該情報に基づき緊急警報状態であると判断する緊急警報判断部３１５を構成する。
【００５４】
映像表示装置３０１は外部より緊急警報信号を入力するように構成されている。緊急警報信号は、無線によって伝えられる場合には専用の受信機で受信され、その出力が映像表示装置３０１に接続される。あるいは、緊急警報信号が有線によって個々の家に伝えられる場合には、その信号線を直接あるいは分岐して映像表示装置３０１に接続される。
【００５５】
以上のように構成された映像表示装置３０１の動作について述べる。付加情報抽出部１０９が抽出したＴＳ内の付加情報から、緊急警報分析部１１０が緊急警報状態であるかを判断し、表示電力モード判定部３１１に伝える動作については実施の形態２と同じであるのでその説明を省略する。
【００５６】
緊急警報が放送波に多重付加されずに独立で報知される場合は、緊急警報信号が緊急警報受信部１１３に入力される。緊急警報受信部１１３は緊急警報信号が入力されたことで緊急警報状態であると判断し、表示電力モード判定部３１１に伝える。表示電力モード判定部３１１は、緊急警報分析部１１０および緊急警報受信部１１３より緊急警報状態であるかどうかの情報を取得して表示電力モードを決定する。両ブロックの出力が共に緊急警報状態でない場合は、当然通常の状態であるとし、表示電力モード選択部１１２の出力に基づいて決定する。しかし、緊急警報分析部１１０または緊急警報受信部１１３の少なくとも一方より緊急警報状態である旨が伝えられた場合には、表示電力モード選択部１１２の出力に無関係に表示電力モードを超低消費電力モード切り換える。
【００５７】
表示制御部２０６は表示電力モード判定部３１１からの超低消費電力モードとする指示信号を受けて、超低消費電力モードとしての所定の表示内容への映像ストリームのデータの改変、あるいは所定の表示部１０７へ設定制御を行い、何らかの情報は表示されていながら備えている消費電力モードの内で最も低い消費電力の状態に移行する。以降の超低消費電力モードの表示は他の実施の形態に記載のものと同様であるので、ここでは説明を省略する。
【００５８】
上記のように本発明の実施の形態３に係る映像表示装置によれば、地震等の災害が発生し電力消費を低減すべき緊急警報状態となった場合には、情報を入手することができる最低限の状態まで画面表示を自動的に低下させて、映像表示の消費電力を最小限に抑えることができる。
【００５９】
なお、本実施の形態３においては、緊急警報状態であることを判断する手段として緊急警報分析部１１０および緊急警報受信部１１３の双方を備える場合を示したが、緊急警報受信部１１３のみを備え緊急警報信号を受信して超低消費電力モードになるようにしてもよい。
【００６０】
また、本発明の映像表示装置としてデジタル放送波を受信するテレビジョン受像機を一例として説明を行ったが、緊急警報信号を受けて超低消費電力モードとする映像表示装置であるならアナログ放送波を受けるテレビジョン受像機であってもよい。
【００６１】
また、ＴＳの付加情報から緊急警報記述子を抽出し緊急警報状態であると判断する手段と緊急警報信号を受信する手段とに関係する部分のみ電源が供給される待機状態を設定してもよい。この場合は、本発明の映像表示装置を視聴していなかったとしても、待機状態において緊急警報状態になったかどうかが判断できる。このような状態で視聴を開始しようとしたときには、視聴開始から超低消費電力モードで映像が表示されることとなる。これによって、災害の発生等による緊急警報状態で大きな表示電力を消費することが防止できる。
【００６２】
（実施の形態４）
本実施の形態４においては、表示部が液晶ディスプレイ装置である場合の超低消費電力モードの異なる表示制御の一例を述べる。構成を示すブロック図は図１、図６、あるいは図８と同様であり、緊急警報状態の判断等の動作は実施の形態１〜３と同様である。
【００６３】
一般に、液晶表示装置においては、表示映像は液晶パネルを駆動する信号だけでは決まらずバックライトも含めて輝度や色合いが決定される。ゆえに、表示される映像情報はバックライトや導光板も含めて決定される。また、液晶表示装置の表示電力は表示データの影響は少なく、バックライトが消費する電力が大勢を占めている。よって、輝度を落とすことで消費電力を低減する節電モードでは、バックライトの輝度を落とすことで電力低減を図っている。この場合は、全体の輝度は低下するものの映像情報はそのままであり、通常どおり番組を楽しむことができる。
【００６４】
それに対して、本発明の実施の形態４に係る映像表示装置の超低消費電力モードの表示制御の一例を説明する。まず、その構成を説明する。
【００６５】
図９において、本発明の実施の形態４に係る映像表示装置の筐体１４８内に複数のバックライト１４３を設ける。バックライトの光は導光板１４４を通り拡散板１４６を介して液晶パネル１４７を背面から均一な光として照射する。また、バックライト１４３とは別に小型バックライト１４５を設けておく。本実施の形態４の表示部は、これらのバックライト１４３、導光板１４４、拡散板１４６、液晶パネル１４７、小型バックライト１４５で構成されるものである。
【００６６】
このように構成された表示部において、超消費電力モードとする場合は、図１０で示すように、白丸で表示したバックライト１４３のみを点灯し、黒丸（網線を施した部分）で示したバックライト１４３を消灯するものとする。通常は全てのバックライト１４３が点灯していてこそ、むらのない通常の視聴に適した画質が得られるようになっているが、このように一部を点灯しただけでは表示される映像情報はバックライトの点灯位置に影響されたむらのある映像になってしまう。当然、通常視聴を楽しむ画質ではなくなるものの、表示装置の背面に設けられたバックライト１４３の点灯本数を総本数の半分以上削減することにより、バックライト１４３の点灯にかかる電力を低減し、通常視聴状態より大幅に消費電力を削減することができるものである。
【００６７】
図１１は本発明の実施の形態４に係る超低消費電力モードの異なる一例を示す図である。図１１において、通常使用するバックライト１４３とは別に、導光板１４４の上下左右の周囲いずれかの一部に小型バックライト１４５を設けることにより、超低消費電力モードの時は、バックライト１４３を全本数消灯し、小型バックライト１４５を点灯させることにより、より消費電力を低減した超低消費電力モードを提供することが可能となる。
【００６８】
なお、上記のバックライトの点灯の制御で超消費電力モードを実現する場合で、かつ、字幕情報で緊急情報を表示する場合には、例えば、字幕情報を表示する位置に対応するバックライトだけを点灯し他を消灯するという制御を行ってもよい。この場合には、必要な字幕情報はより明確に情報が表示できるのに対し、その表示電力は大幅に削減することができる。
【００６９】
あるいは、字幕情報を表示する場所を画面の上辺あるいは下辺のいずれかに決めておき、上辺に表示するならば小型バックライト１４５は導光板１４４の上辺に設置し、下辺に表示するならば小型バックライト１４５を導光板１４４の下辺に設置するというように、字幕表示の位置に対応するように小型バックライト１４５を設置しておけば、字幕表示の視認性をあまり落とさずに消費電力を大幅に削減することができる。
【００７０】
図１２は本発明の実施の形態４に係る超低消費電力モードのさらに異なる一例を示す図である。図１２に示す構成においては、導光板１４４および拡散板１４６の一方あるいは双方に蓄光材１５７を分散させている。蓄光材１５７としては励起光の消失後も長く燐光を発する材質を選べばよい。
【００７１】
このように構成した表示部の動作を説明する。バックライト１４３を全て点灯する通常の視聴状態においては、蓄光材１５７はバックライトの光によって励起された状態になっている。そして、緊急警報状態となり超低消費電力モードとする場合は、表示制御部１０６は全てのバックライト１４３を消灯するが、液晶パネル１４７の駆動は通常どおりに行う。結果、バックライト１４３を全本数消灯しても導光板１４４または拡散板１４６に含有される蓄光材１５７が自己発光することにより、一定の間映像表示を可能にすることができる。
【００７２】
このようにすれば、通常の画質で番組を楽しむことはできないが、災害等の緊急警報状態において映像として情報を入手することができ、それでいて大幅な電力削減を可能とする。
【００７３】
（実施の形態５）
本実施の形態５においては、緊急警報状態の判断において異なる手段を用いた構成の一例を述べる。なお、実施の形態１〜４と同一の部位に関しては同一の符号を付すとともに、その説明も適宜省略するものとする。
【００７４】
図１３は本発明の実施の形態５の一例の構成を示すブロック図である。本発明の映像表示装置５０１が設置されている環境において、災害等による商用電源の停電時に作動する非常用電源装置１６１が設けられている。非常用電源装置１６１は蓄電方式であっても、燃料電池であっても、太陽電池によるものであっても、あるいはガソリン等の燃料で動く発電機であってもよい。
【００７５】
非常用電源装置１６１には商用電源１６４の供給を監視する停電検知部１６２が備えられている。停電検知部１６２は、商用電源１６４が所定時間以上その供給が停止した場合に非常用電源装置１６１を動作させ、商用電源１６４に代わって非常用電源装置１６１の出力を供給するようになっている。また、非常用電源動作通知部１６３は非常用電源装置１６１が動作すると、その旨の信号を出力するものである。
【００７６】
本発明の映像表示装置５０１に備えられた非常用電源動作検知部１６６は非常用電源動作通知部１６３の出力を受けて非常用電源装置１６１が動作した場合は緊急警報状態であると判断する。なお、停電し非常用電源装置が作動する状況は、少なくとも何らかの事故が発生しており災害発生の可能性が非常に高く、かつ、電力消費の低減を強く求められる状態であるので、非常用電源装置が動作した旨の情報は緊急警報に関する情報とできる。よって、本実施の形態５においては、非常用電源動作検知部１６６が、緊急警報に関する情報を受信して当該情報に基づき緊急警報状態であると判断する緊急警報判断部５１５を構成する。
【００７７】
緊急警報状態であると判断された場合の以降の動作は、実施の形態１〜４と同様であり、表示電力モード判定部１１１は非常用電源動作検知部１６６より緊急警報状態であるかどうかの情報を取得して表示電力モードを決定する。この場合、緊急警報状態であるので、表示電力モード選択部１１２の出力に無関係に表示電力モードを超低消費電力モード切り換える。
【００７８】
表示制御部１０６は表示電力モード判定部３１１からの超低消費電力モードとする指示信号を受けて、超低消費電力モードとしての所定の表示内容への映像ストリームのデータの改変、あるいは所定の表示部１０７へ設定制御を行い、何らかの情報は表示されていながら備えている消費電力モードの内で最も低い消費電力の状態に移行する。
【００７９】
上記のように本発明の実施の形態５の映像表示装置によれば、地震等の災害が発生し電力消費を低減すべき緊急警報状態となった場合には、情報を入手することができる最低限の状態まで画面表示を自動的に低下させて、映像表示の消費電力を最小限に抑えることが可能となる。これにより、緊急災害時においてでも情報収集を長時間確保することが可能な映像表示装置を提供することができる。
【００８０】
なお、超低消費電力モードの映像処理や表示制御は実施の形態１〜４と同様であるので、その説明は省略する。
【００８１】
（実施の形態６）
実施の形態５に記載の構成と異なり停電検知部を映像表示装置側に設けることもできる。このような構成の実施の形態６の一例を説明する。
【００８２】
図１４において、停電検知部１６５は映像表示装置６０１に供給される電源供給を監視するものであり、所定時間を超えて電源供給が止まった場合に停電検知信号を出力して電源供給回復後も維持するものである。停電検知信号を反転させるには表示電力モード選択部６１２から解除パルスを出力する。
【００８３】
図１５は本発明の実施の形態６に係る停電検知部１６５の構成の一例を示す回路図である。図１５に示すように、ＣＲ積分回路１７６を有した双安定マルチバイブレータ１７１で実現できる。双安定マルチバイブレータ１７１のロー出力側入力１７３に、供給される電源からの電荷を蓄積するＣＲ積分回路１７６を接続しておく。そうすれば、停電となった時にはＣＲ積分回路１７６の電荷が放出され、ふたたび電源供給が開始されてもＣＲ積分回路１７６の電圧が回復するのに時間がかかるため、ロー値に双安定マルチバイブレータ１７１の出力１７４は固定される。出力を反転させるにはハイ出力側入力１７２にパルスを与えればよい。
【００８４】
以下、このように構成された本発明の実施の形態６の映像表示装置６０１の動作を説明する。
【００８５】
災害発生等により、一旦停電したものの緊急の電力復旧によって電力供給が回復することがある。この場合に、商用電源１６４の供給が一時停止することで停電検知部１６５は出力を反転させて停電検知信号を表示電力モード判定部３１１に出力する。表示電力モード判定部３１１は停電検知信号を緊急警報状態を示す信号であるとして動作する。なお、停電を生じる状況は、少なくとも何らかの事故が発生しており災害発生の可能性が非常に高く電力消費の低減を強く求められる状態であると考えられる。従って、停電した旨の情報は緊急警報に関する情報となりうる。よって、本実施の形態６においては、停電検知部１６５が、緊急警報に関する情報を受信して当該情報に基づき緊急警報状態であると判断する緊急警報判断部６１５を構成する。
【００８６】
緊急警報状態であると判断された場合の以降の動作は、実施の形態１〜５と同様であり、表示電力モード選択部６１２の出力に無関係に表示電力モードを超低消費電力モード切り換える。これにより、超低消費電力モードとしての所定の表示内容への映像ストリームのデータの改変、あるいは所定の表示部１０７へ設定制御を行い、何らかの情報は表示されていながら備えている消費電力モードの内で最も低い消費電力の状態に移行する。なお、超低消費電力モードの映像処理や表示制御は実施の形態１〜５と同様であるので、その説明は省略する。
【００８７】
なお、視聴者が緊急警報状態でなくなったと判断した場合は、視聴者が表示電力モード選択部６１２で他の表示電力モードを選択するか、あるいは超低消費電力モードを解除する操作を行えば、表示電力モード選択部６１２から解除パルスが出力され停電検知信号が反転し超低消費電力モードが解除される。
【００８８】
上記のように本発明の実施の形態６の映像表示装置によれば、地震等の災害が発生し電力消費を低減すべき緊急警報状態となった場合には、情報を入手することができる最低限の状態まで画面表示を自動的に低下させて、映像表示の消費電力を最小限に抑えることが可能となる。これにより、緊急災害時においてでも情報収集を長時間確保することが可能な映像表示装置を提供することができる。
【産業上の利用可能性】
【００８９】
本発明の映像表示装置は、災害発生時等の緊急警報状態で消費電力を自動的に低減できるものであり、テレビジョン受像機やＣＡＴＶ、あるいはネットワークを通じて情報を入手し画面に情報を表示することが可能なパーソナルコンピュータ等の映像情報を取得し表示する映像表示装置として有用である。
【図面の簡単な説明】
【００９０】
【図１】本発明の実施の形態１に係る映像表示装置の構成を示すブロック図
【図２Ａ】本発明の実施の形態１に係る超低消費電力モードの表示の一例を示す図
【図２Ｂ】本発明の実施の形態１に係る超低消費電力モードの表示の一例を示す図
【図３Ａ】本発明の実施の形態１に係る超低消費電力モードの異なる一例を示す図
【図３Ｂ】本発明の実施の形態１に係る超低消費電力モードの異なる一例を示す図
【図４Ａ】本発明の実施の形態１に係る超低消費電力モードの異なる一例を示す図
【図４Ｂ】本発明の実施の形態１に係る超低消費電力モードの異なる一例を示す図
【図５】本発明の実施の形態１に係る超低消費電力モード選択画面の一例を示す図
【図６】本発明の実施の形態２に係る映像表示装置の構成を示すブロック図
【図７Ａ】本発明の実施の形態２に係る超低消費電力モードの表示の一例を示す図
【図７Ｂ】本発明の実施の形態２に係る超低消費電力モードの表示の一例を示す図
【図８】本発明の実施の形態３に係る映像表示装置の構成を示すブロック図
【図９】本発明の実施の形態４に係る表示部の構成を示す断面図
【図１０】本発明の実施の形態４に係る超低消費電力モードの制御の一例を示す図
【図１１】本発明の実施の形態４に係る超低消費電力モードの一例を示す図
【図１２】本発明の実施の形態４に係る超低消費電力モードの一例を示す図
【図１３】本発明の実施の形態５に係る映像表示装置の構成を示すブロック図
【図１４】本発明の実施の形態６に係る映像表示装置の構成を示すブロック図
【図１５】本発明の実施の形態６に係る停電検知部の構成の一例を示す回路図
【図１６】従来技術に係る映像表示装置の構成を示すブロック図
【符号の説明】
【００９１】
１０１，２０１，３０１，５０１，６０１    映像表示装置
１０２    テレビアンテナ
１０３    チューナ・復調部
１０４    ＴＳデコーダ
１０５    ＭＰＥＧデコーダ
１０６，２０６    表示制御部
１０７    表示部
１０８    字幕抽出部
１０９    付加情報抽出部
１１０    緊急警報分析部
１１１，３１１    表示電力モード判定部
１１２，６１２    表示電力モード選択部
１１３    緊急警報受信部
１１５，３１５，５１５，６１５    緊急警報判断部
１３１ａ，１３１ｂ    表示範囲
１３２    テロップ
１４３    バックライト
１４４    導光板
１４５    小型バックライト
１４６    拡散板
１４７    液晶パネル
１４８    筐体
１５７    蓄光材
１６１    非常用電源装置
１６２    停電検知部
１６３    非常用電源動作通知部
１６４    商用電源
１６５    停電検知部
１６６    非常用電源動作検知部
１７１    双安定マルチバイブレータ
１７６    ＣＲ積分回路
【図１】
0004899865.tif 000002
【図２Ａ】
0004899865.tif 000003
【図２Ｂ】
0004899865.tif 000004
【図３Ａ】
0004899865.tif 000005
【図３Ｂ】
0004899865.tif 000006
【図４Ａ】
0004899865.tif 000007
【図４Ｂ】
0004899865.tif 000008
【図５】
0004899865.tif 000009
【図６】
0004899865.tif 000010
【図７Ａ】
0004899865.tif 000011
【図７Ｂ】
0004899865.tif 000012
【図８】
0004899865.tif 000013
【図９】
0004899865.tif 000014
【図１０】
0004899865.tif 000015
【図１１】
0004899865.tif 000016
【図１２】
0004899865.tif 000017
【図１３】
0004899865.tif 000018
【図１４】
0004899865.tif 000019
【図１５】
0004899865.tif 000020
【図１６】
0004899865.tif 000021